(57)【特許請求の範囲】
【請求項１】
運転をスタートもしくは一時停止させるスタート／一時停止入力手段と、ドア開閉検知手段と、音声による報知を行う報知手段とを有し、一時停止した後運転を再開する制御として、運転中にスタート／一時停止入力手段からの入力状態が変化して運転を一時停止した場合は、スタート／一時停止入力手段からの入力が有ることにより運転を再開する制御と、運転中にドア開閉検知手段の検知状態が変化して運転を一時停止した場合は、ドア開閉検知手段の検知状態が閉となると運転を再開する制御と、運転中にスタート／一時停止入力手段からの入力状態とドア開閉検知手段の検知状態とのうちいずれか一方が変化して一時停止した後に他方の状態も変化した場合は、ドア開閉検知手段の検知状態が閉となるとともにスタート／一時停止入力手段からの入力が有ることにより運転を再開する制御と、を有し、再スタート時に報知を行う制御として、スタート／一時停止入力手段からの入力状態およびドア開閉検知手段の検知状態に応じて報知内容を変更し、報知手段により音声での報知を行う制御手段を備えたことを特徴とする食器洗い機。
【請求項２】
運転中にスタート／一時停止入力手段からの入力状態、ドア開閉検知手段の検知状態のうち少なくとも１つが変化し、運転を一時停止した際に、スタート／一時停止入力手段からの入力状態およびドア開閉検知手段の検知状態に応じて報知内容を変更し、報知手段により音声での報知を行うことを特徴とする請求項１に記載の食器洗い機。
【請求項３】
運転を一時停止した後、所定時間経過し、スタート／一時停止入力手段からの入力およびドア開閉検知手段の検知状態に変化がない場合に、スタート／一時停止入力手段からの入力状態およびドア開閉検知手段の検知状態に応じて報知内容を変更し、報知手段により音声での報知を行うことを特徴とする請求項１または２に記載の食器洗い機。
【請求項４】
ドア開閉検知手段は、ドアの複数箇所に対応して複数有し、複数のドア開閉検知手段の検知状態に開と閉とが複合しているか否かに対応して、制御手段は音声での報知内容を変更する請求項１〜３のいずれか１項に記載の食器洗い機。
【発明の詳細な説明】
【技術分野】
【０００１】
本発明は、食器の洗浄を行う食器洗い機に関し、さらに詳しくは運転中に一時停止もしくは、一時停止からの再スタートをした際のスタート／一時停止入力手段からの入力状態およびドアの開閉状態を検知して音声での報知を行うようにした食器洗い機に関するものである。
【背景技術】
【０００２】
この種の食器洗い機は図６に例示するような構成のものが既に知られている（例えば、特許文献１参照）。このものは、洗浄槽を内蔵した本体ａの前面の開口に例えば上下に開くドアｂ、ｃを有している。ドアｂ、ｃは下側のドアｂに備えたハンドルｄの操作で互いに連動して開閉される。ドアｂ、ｃにより開口を閉じることで洗浄槽を密閉し、洗浄液をポンプによって供給される各所のノズルが種々な向きで洗浄水を噴射して洗浄する際の水漏れを防止する。このため、ドアｂ、ｃに閉じ異常があると水漏れを防止できない。
【０００３】
そこで、特許文献１はドアｂ、ｃの開閉を下側のドアｂの左右２箇所に対して開閉を検知する検知スイッチｅ、ｆを設けてドア開閉を検知し、ドア閉じ状態に異常があると報知する技術を開示している。特許文献１には報知手段が圧電ブザーであり、これに代るスピーカや発光ダイオードでもよい旨、および１つの検知スイッチにより異常を検知する場合よりも対応が確実である旨、の記載がある。
【特許文献１】特開２０００−３２５２８９号公報
【発明の開示】
【発明が解決しようとする課題】
【０００４】
しかし、特許文献１に記載された圧電ブザー、スピーカによる単なる音報知や、発光ダイオードによる光報知では、運転中に一時停止した際や一時停止から再スタートした際のドアの開閉状態やスタート／一時停止入力手段の状態やドアの閉じ異常を告知しにくい。
【０００５】
例えば、報知内容を告知音の数や間隔、長さの違い、発光ダイオードの点滅数や間隔、時間の違いによって報知と同時にその内容を告知しようとしても分かりづらく、使用者がその内容を知るには十分に慣れる必要がある。また、運転中に運転を一時停止する条件として、ドアを開状態とするか、もしくはスタート／一時停止入力手段から一時停止を入力するか、もしくはその組み合わせが考えられ、例えば、ドアを開状態とし、なおかつスタート／一時停止入力手段から一時停止を入力して、運転を一時停止した場合、一時停止状態から運転状態に復帰させるためには、ドアを閉状態とし、なおかつスタート／一時停止入力手段から再スタートを入力する必要がある。
【０００６】
また、ドアを開状態とし運転を一時停止した場合、一時停止状態から運転状態に復帰させるためには、ドアを閉状態にすればよいが、このように、運転状態から一時停止させ、運転状態に復帰させる方法に複数の場合があるために、使用者が混乱する可能性が有る。
【０００７】
また、更にはドアの開閉時に発生する可能性の有るドアの閉じ異常についても、左右どちらが閉じ異常となっているか等、複雑な条件が有る。このように複雑多岐にわたる運転中の一時停止状態と、一時停止状態からの復帰方法やドアの閉じ異常についての報知に関して、改善が望まれる。
【０００８】
また、報知音は離れた場所でも使用者に認識されやすいが、他の家電機器の動作音や操作音、報知音とまぎれると気付かなかったり、どの機器での報知か判断しかねる問題もある。
【０００９】
そこで、本発明者は、食器洗い機の運転中に運転を一時停止した際のスタート／一時停止入力手段からの入力状態およびドア開閉状態を検知し、使用者に直感されやすく音声で報知することに思い至った。
【００１０】
本発明の目的は、運転中に一時停止もしくは、一時停止からの再スタートをした際のスタート／一時停止入力手段からの入力状態およびドア開閉状態を検知して音声によって分かりやすく報知できる食器洗い機を提供することにある。
【課題を解決するための手段】
【００１１】
上記のような目的を達成するために、本発明の食器洗い機は、運転をスタートもしくは一時停止させるスタート／一時停止入力手段と、ドア開閉検知手段と、音声による報知を行う報知手段とを有し、一時停止した後運転を再開する制御として、運転中にスタート／一時停止入力手段からの入力状態が変化して運転を一時停止した場合は、スタート／一時停止入力手段からの入力が有ることにより運転を再開する制御と、運転中にドア開閉検知手段の検知状態が変化して運転を一時停止した場合は、ドア開閉検知手段の検知状態が閉となると運転を再開する制御と、運転中にスタート／一時停止入力手段からの入力状態とドア開閉検知手段の検知状態とのうちいずれか一方が変化して一時停止した後に他方の状態も変化した場合は、ドア開閉検知手段の検知状態が閉となるとともにスタート／一時停止入力手段からの入力が有ることにより運転を再開する制御と、を有し、再スタート時に報知を行う制御として、スタート／一時停止入力手段からの入力状態およびドア開閉検知手段の検知状態に応じて、報知内容を変更し、報知手段により音声での報知を行うことを特徴としている。
【００１２】
このような構成では、食器洗い機における食器洗浄の予備作業を終了すると使用者はスタート入力手段を操作して運転をスタートさせ、運転中に食器の追加等の目的でドアを開けたり、スタート／一時停止入力手段から一時停止を入力するなどし、運転を一時停止する場合があるが、この運転の一時停止からの再スタート時に制御手段がドア開閉検知手段の検知状態および、スタート／一時停止入力手段の入力状態に応じ音声での報知内容を変えるので、運転の一時停止からの再スタート時におけるドア開閉の検知状態や、スタート／一時停止入力手段の入力状態の違いを使用者に明確に伝えることができ、使用者は混乱なく、一時停止状態から運転状態への復帰をさせることができる。
【００１３】
運転を一時停止した際に、スタート／一時停止入力手段からの入力状態およびドア開閉検知手段の検知状態に応じて報知内容を変更し、報知手段により音声での報知を行うようにした、更なる構成では、運転の一時停止時に制御手段がドア開閉検知手段の検知状態および、スタート／一時停止入力手段の入力状態に応じて、音声での報知内容を変えるので、使用者は一時停止状態でのドア開閉の検知状態や、スタート／一時停止入力手段の入力状態の違いを明確に認知することができ、混乱なく一時停止状態から運転状態への復帰をさせることができる。
【００１４】
運転を一時停止した後、所定時間経過し、スタート／一時停止入力手段からの入力およびドア開閉検知手段の検知状態に変化がない場合に、スタート／一時停止入力手段からの入力状態およびドア開閉検知手段の検知状態に応じて報知内容を変更し、報知手段により音声での報知を行うようにした、更なる構成では、運転の一時停止後、所定時間が経過すると、運転の一時停止時に制御手段がドア開閉検知手段の検知状態およびスタート／一時停止入力手段の入力状態に応じて、音声での報知を行うので、使用者が食器洗い機を運転の一時停止状態のまま長時間放置することを防止することができる。
【００１５】
ドア開閉検知手段は、ドアの複数箇所に対応して複数有し、複数のドア開閉検知手段の検知状態に開と閉とが複合しているか否かに対応して、制御手段は音声での報知内容を変更する、さらなる構成では、ドアの開閉状態が複数のドア開閉検知手段によってドアの複数個所にて検知され、ドアの拗れや閉じ位置へのロック機構の弾性的な反発などが影響して部分的に閉じ状態に差ができるようなことに、複数のドア開閉検知手段の検知状態の違いとして対応し、制御手段がドア開閉の複数の検知状態に開と閉とが複合しているか否かで、音声での報知内容を変更するので、運転の一時停止時や一時停止からの再スタート時にドア開閉の検知状態や、ドアが部分的に開いているような閉じ異常の有無、スタート／一時停止入力手段の入力状態の違いを使用者に明確に伝えることができる。
【発明の効果】
【００１６】
本発明の食器洗い機によれば、運転の一時停止時および再スタート時に、スタート／一時停止入力手段の入力状態およびドア開閉検知手段の検知状態に応じ音声での報知内容を変えて、スタート／一時停止入力手段の入力状態およびドア開閉の検知状態の違いを使用者に明確に伝えるので、使用者は運転の再スタートに際しスタート／一時停止入力手段の入力状態およびドアの開閉状態を的確に知って閉じ異常があれば即時に対応できるし、閉じ異常がなければ安心して次の作業に移れる。
【００１７】
また、ドアの複数箇所での部分的な開閉状態の差に複数箇所でのドア開閉の検知状態の違いを対応させて、複数の検知状態に開と閉とが複合しているか否かで音声での報知内容を変更し、ドアが部分的に開いているような閉じ異常の有無を使用者に明確に伝えるので、使用者は見過しがちなドアの部分的な閉じ異常に意を使うことなく、閉じ異常の有無を知って即時に対応したり、安心して次の作業に移ったりすることができる。
【発明を実施するための最良の形態】
【００１８】
以下、本発明の実施の形態に係る食器洗い機について図１〜図５を参照しながら説明し、本発明の理解に供する。なお、以下の説明は本発明の具体例であって特許請求の範囲の記載内容を限定するものではない。
【００１９】
本実施の形態の食器洗い機は既述したような基本構成を有し、図１に示す本体１に食器類を収容して洗浄を行う洗浄槽２を内部に有し、前面には食器類を洗浄槽２に出し入れするためのドア１ａを有した開口１ｂが設けられている。ドア１ａは閉じると開口１ｂまわりに設けた係合部にフック片が弾性係合することで閉じ状態にロックされるようになっており、ハンドルｄを操作して開くときはそのロックが自動的に解除されるようになっている。
【００２０】
洗浄槽２は給水弁３から洗浄水を供給されて底部に溜める。洗浄槽２の底部に溜めている洗浄水は洗浄ポンプ４によって洗浄槽２内に設けられている図示しない洗浄ノズルに供給し、洗浄ノズルから洗浄槽２に収容している食器類に向けて噴出する。洗浄槽２の底部には水位検知手段１０があり洗浄槽２内の水位を検知し、電気信号として出力する。一方、洗浄槽２の底部にはヒータ５が配設され、洗浄水を加熱し洗浄水による洗浄効果を高める。これに併せ、洗浄槽２の底部に外側より密着するように取り付けた図示しないサーミスタなどの温度検知手段９を設けて、洗浄水の水温や洗浄槽２の温度を熱伝導により検知し、それらの温度制御に供する。
【００２１】
また、洗浄槽２の底部内の洗浄水を排出する排水ポンプ６や、洗浄槽２内の蒸気を排気口から本体１外へ送り出し洗浄後の食器を乾燥させる送風ファン７も洗浄槽２のまわりに設けてある。開口１ｂまわりの本体１内にはドア１ａの開閉を検知するドア開閉検知手段８が設けられている。本体１はまた、給水弁３、洗浄ポンプ４、ヒータ５、排水ポンプ６、送風ファン７などを負荷制御手段１１を介して駆動し、洗い、すすぎ、乾燥の各行程を逐次制御する制御装置１２を内蔵している。
【００２２】
このような制御のために、本体１の前面にはドア１ａの下などに図２に示すような操作パネル１３が設けられている。操作パネル１３には電源を「入り」「切り」する電源入りスイッチ１４、電源切りスイッチ１５、運転開始および一時停止を行うスタート／一時停止入力手段としてのスタートスイッチ１６、コースを設定するコーススイッチ１７、乾燥の時間を設定する乾燥スイッチ１８などを設けた入力手段２１と、それらの操作に応じた表示をＬＥＤなどによって行う操作表示手段２２とが設けられている。
【００２３】
制御装置１２は、マイクロコンピュータ等で構成し、入力手段２１により設定された入力と、ドア開閉検知手段８、温度検知手段９、水位検知手段１０からの入力情報とに応じて、負荷制御手段１１を介し給水弁３、洗浄ポンプ４、ヒータ５、排水ポンプ６、送風ファン７などの負荷と、ＬＥＤなどの操作表示手段２２と、報知手段３１を予め定められたシーケンスに沿って制御する。報知手段３１は通常、ドア開閉検知手段８からのドア開閉情報により検知する閉じ異常、水位検知手段１０からの水位情報により検知する給水異常や排水異常、運転終了などに際して動作させる。これらのために、異常を判定し検知する異常検知手段３２を制御装置１２の内部機能として備えている。なお、負荷制御手段１１や制御装置１２は電源回路３３にて生成された電源が供給される。
【００２４】
ここで、以上のような食器洗い機の一連の動作について、その概略を説明する。使用者が食器類を食器かごに配置して洗浄槽２に収納し、洗剤を入れ、ドア１ａを閉めた後に電源入りスイッチ１４とスタートスイッチ１６との操作で運転を開始すると、まず洗浄槽２の底部に水位検知手段１０が所定の水位を検知するまで給水弁３から水道水が給水される。そして、洗浄ポンプ４およびヒータ５に通電され、洗浄水は加熱されながら洗浄ポンプ４により食器類に向けて洗浄ノズルから噴出される。
【００２５】
このとき、温度検知手段９により洗浄水の温度を検知し、制御装置１２は常に洗浄水の温度を把握している。洗浄水の温度が所定の温度に到達したとき、あるいは、洗浄開始から所定時間経過したとき、制御装置１２は洗浄行程を終了し、排水ポンプ６に通電して、一旦洗浄水を排水する。
【００２６】
つぎに、新たに水道水が給水され、前述の洗浄行程と同様の動作を数分間行い排水する。このすすぎ行程を数回くり返した後、加熱すすぎ行程と称する洗浄行程と同様の動作を行い、所定温度に到達したとき、あるいは、所定時間経過したとき、これを終了として排水する。最後に送風ファン７を運転して洗浄槽２内の蒸気を機外へ排出すると同時に、ヒータ５に間欠に通電を行い食器類を加熱して、付着している水滴を乾燥させる。
【００２７】
このような構成において、異常検知手段３２による異常検知や運転終了に際して報知手段３１を動作させて使用者に報知するのに、従来、単純なブザー音やＬＥＤによっていたのに代って、本実施の形態では、図１に示すように報知手段３１として、音声報知手段３１ａ、ブザー報知手段３１ｂを設けて、制御手段３４によりこれらを制御して、音声あるいはブザーによる報知ができるようにしている。
【００２８】
次に、制御装置１２による図３に示す具体的な運転を一時停止した後の、再スタート時の報知の制御例につき説明すると、ステップＳ１で運転中にスタート／一時停止入力手段からの入力が有るか、もしくはドア開閉検知手段の検知状態が開となると、運転を一時停止し、状態変化に応じてステップＳ２、Ｓ３またはＳ５に進む。
【００２９】
ドア開のみの場合はステップＳ２に進み、再びドアが閉状態に変化するまで待機し、再びドアが閉状態に変化するとステップＳ４で、報知手段により音声で「運転を再開しました」等の報知を行ない運転を再開する。
【００３０】
ステップＳ１での状態変化が一時停止のみの場合は、ステップＳ３で、スタート／一時停止入力手段から再びスタートが入力されるまで待機し、再スタートが入力されるとステップＳ４に進む。
【００３１】
ステップＳ１での状態変化がドア開かつ一時停止の場合は、ステップＳ５で再びスタート／一時停止入力手段からの入力が有るか、もしくはドア開閉検知手段の検知状態の変化を検知するまで待機する。ステップＳ５で再びスタート／一時停止入力手段からの入力が有るか、もしくはドア開閉検知手段の検知状態の変化を検知すると、状態変化に応じてステップＳ４、Ｓ６またはＳ８に進む。ステップＳ５での状態変化がドア閉かつ再スタートの場合は、ステップＳ４に進む。ステップＳ５での状態変化がドア閉のみの場合は、ステップＳ６に進み、報知手段により音声で「スタートスイッチを押して下さい」等の報知を行い、ステップＳ７で再スタートが入力されるまで待機し、再スタートが入力されると、ステップＳ４に進む。ステップＳ５での状態変化が再スタートのみの場合は、ステップＳ８に進み、報知手段により音声で「ドアを閉じて下さい」等の報知を行い、ステップＳ９でドアが閉じられるまで待機し、ドアが閉じられると、ステップＳ４に進み、運転を一時停止した後の、再スタート時の報知の制御を終了する。
【００３２】
次に、制御装置１２による運転を一時停止した際の報知の具体的な制御例につき図４を用いて説明すると、ステップＳ１１で運転中にスタート／一時停止入力手段からの入力が有るか、もしくはドア開閉検知手段の検知状態が開に変化すると、運転を一時停止し、状態変化に応じてステップＳ１２、Ｓ１３またはＳ１４に進む。
【００３３】
ドア開のみの場合はステップＳ１２に進み、報知手段により音声で「ドア開により、運転を停止しました」等の報知を行う。ステップＳ１１にて状態の変化が、一時停止のみの場合はステップＳ１３に進み、報知手段により音声で「一時停止スイッチにより、運転を停止しました」等の報知を行う。ステップＳ１１にて状態の変化が、ドア開かつ一時停止の場合はステップＳ１４に進み、報知手段により音声で「ドア開、一時停止スイッチにより、運転を停止しました」等の報知を行い、運転を一時停止した際の報知の制御を終了する。
【００３４】
次に、制御装置１２による運転を一時停止した後、所定時間経過し、スタート／一時停止入力手段からの入力およびドア開閉検知手段の検知状態に変化がない場合に、報知手段により音声での報知を行う具体的な制御例につき図５を用いて説明すると、ステップＳ２１で運転中にスタート／一時停止入力手段からの入力が有るか、もしくはドア開閉検知手段の検知状態が開に変化すると、運転を一時停止し、状態変化に応じてステップＳ２２、Ｓ２５またはＳ２８に進む。
【００３５】
ドア開のみの場合はステップＳ２２に進み、ステップＳ２２でドアが依然開状態の場合、ステップＳ２３で運転を一時停止してから所定時間が経過しているか否かを判断し、所定時間が経過している場合には、ステップＳ２４で報知手段により音声で「ドアを閉じて下さい」等の報知を行い、この一連の動作をステップＳ２２でドア閉を検知するまで継続する。ステップＳ２２でドア閉を検知すると、ステップＳ３１に進み、報知手段により音声で「運転を再開しました」等の報知を行い運転を再開する。
【００３６】
ステップＳ２１で、状態の変化が一時停止のみの場合はステップＳ２５に進み、ステップＳ２５で再スタートが依然入力されない場合、ステップＳ２６で運転を一時停止してから所定時間が経過しているか否かを判断し、所定時間が経過している場合には、ステップＳ２７で報知手段により音声で「スタートスイッチを押して下さい」等の報知を行い、この一連の動作をステップＳ２５で再スタートの入力を検知するまで継続する。ステップＳ２５で再スタートの入力を検知すると、ステップＳ３１に進む。
【００３７】
ステップＳ２１で、状態の変化がドア開かつ一時停止の場合はステップＳ２８に進み、ステップＳ２８で依然ドアが閉状態に変化せず、なおかつ再スタートが入力されない場合、ステップＳ２９で運転を一時停止してから所定時間が経過しているか否かを判断し、所定時間が経過している場合には、ステップＳ３０で報知手段により音声で「ドアを閉じて、スタートスイッチを押して下さい」等の報知を行い、この一連の動作をステップＳ２８でドア閉および再スタートの入力を検知するまで継続する。ステップＳ２８でドア閉かつ再スタートの入力を検知すると、ステップＳ３１に進み、報知手段により音声で「運転を再開しました」等の報知を行い運転を再開し、運転一時停止後、所定時間経過し、スタート／一時停止入力手段からの入力およびドア開閉検知手段の検知状態に変化がない場合に、音声での報知を行う制御を終了する。
【００３８】
さらに、本実施の形態では、ドア１ａの開閉状態を検出するドア開閉検知手段を８ａ、８ｂ・・など、ドア１ａの複数箇所に対応して複数有し、制御手段３４によって複数のドア開閉検知手段８ａ、８ｂ・・の検知状態に応じて、ドア１ａの状態を完全な開状態、完全な閉状態、閉じ異常状態に判別し、運転の一時停止および再スタート時に、判別した状態に応じて「ドアを閉じて下さい」、「ドアが完全に閉まっていません、確実に閉じて下さい」等音声での報知を行う制御を行うことで、使用者は運転の一時停止時および再スタート時に、ドア１ａの拗れや閉じ位置へのロック機構の弾性的な反発などが影響して部分的に閉じ状態に差ができドア閉じ異常となる場合が有っても、ドアの状態を明確に認知でき、安心して次の作業に移れる。
【００３９】
このように、ドア１ａの複数箇所での部分的な開閉状態の差に複数箇所でのドア開閉の検知状態の違いを対応させて、複数の検知状態に開と閉とが複合しているか否かで音声での報知内容を変更すると、ドア１ａが部分的に開いているような閉じ異常の有無を使用者に明確に伝えられ、使用者は見過しがちなドア１ａの部分的な閉じ異常に意を使うことなく、閉じ異常の有無を知って即時に対応したり、安心して次の作業に移ったりすることができる。
【産業上の利用可能性】
【００４０】
本発明は食器洗い機における運転中の一時停止もしくは、一時停止からの再スタート時に、スタート／一時停止入力手段からの入力状態およびドアの開閉状態を音声で分かりやすく報知することができる。
【図面の簡単な説明】
【００４１】
【図１】本発明に係る実施形態の食器洗い機の概略を示すブロック構成図
【図２】同食器洗い機に備えた操作パネルの模式図
【図３】同食器洗い機での制御装置による運転を一時停止、再スタートした際の報知処理の具体例を示すフローチャート
【図４】同食器洗い機での制御装置による運転を一時停止した際の音声報知処理の具体例を示すフローチャート
【図５】同食器洗い機での制御装置による運転を一時停止した後、所定時間経過した際の音声報知処理の具体例を示すフローチャート
【図６】従来の食器洗い機を示す斜視図
【符号の説明】
【００４２】
１      本体
１ａ    ドア
１ｂ    開口
２      洗浄槽
３      給水弁
４      洗浄ポンプ
５      ヒータ
６      排水ポンプ
７      送風ファン
８、８ａ、８ｂ  ドア開閉検知手段
９      温度検知手段
１０    水位検知手段
１２    制御装置
１３    操作パネル
１６    スタートスイッチ（スタート／一時停止入力手段）
２１    入力手段
２２    操作表示手段
３１    報知手段
３１ａ  音声報知手段
３１ｂ  ブザー報知手段
３４    制御手段
【図１】
0004697019.tif 000002
【図２】
0004697019.tif 000003
【図３】
0004697019.tif 000004
【図４】
0004697019.tif 000005
【図５】
0004697019.tif 000006
【図６】
0004697019.tif 000007